(57)【要約】【課題】画像形成装置本体を大型化することなく、かつその設置必要スペースをなお一層小さくすることができる記録媒体収納装置を提供する。【解決手段】複写機装置本体（画像形成装置本体）に引出し自在に反転再給紙装置（記録媒体収納装置）２２を取り付け、それに片面記録済みの用紙を挿入していったん収納する。反転再給紙装置には、複写機装置本体に取り付けるとき回動して上昇位置となり、複写機装置本体から引き出すとき逆回動して非上昇位置に戻るガイド部材５０を、記録媒体挿入方向Ｉの前方に備えるとともに、そのガイド部材の回動とともに該ガイド部材に対して回動して上昇位置となり、ガイド部材の逆回動とともにそのガイド部材に対して逆回動して非上昇位置に戻る第２ガイド部材５８を、ガイド部材に取り付けてそれよりさらに記録媒体挿入方向前方に備える。【選択図】　　　　図２
2004115138.tif 000002
【特許請求の範囲】
【請求項１】
画像形成装置本体に引出し自在に取り付け、記録媒体を挿入して収納する記録媒体収納装置において、
前記画像形成装置本体に取り付けるとき回動して上昇位置となり、前記画像形成装置本体から引き出すとき逆回動して非上昇位置に戻るガイド部材を、記録媒体挿入方向前方に備えるとともに、
そのガイド部材の回動とともに該ガイド部材に対して回動して上昇位置となり、前記ガイド部材の逆回動とともにそのガイド部材に対して逆回動して非上昇位置に戻る第２ガイド部材を、前記ガイド部材よりさらに記録媒体挿入方向前方に備えることを特徴とする、記録媒体収納装置。
【請求項２】
反転再給紙装置であり、作像装置で片面画像形成済みの記録媒体を挿入していったん収納し、スイッチバックして反転して前記作像装置に再給紙することを特徴とする、請求項１に記載の記録媒体収納装置。
【請求項３】
前記第２ガイド部材の記録媒体挿入方向前方に第３ガイド部材を回転自在に備えることを特徴とする、請求項１または２に記載の記録媒体収納装置。
【請求項４】
請求項１ないし３のいずれか１に記載の記録媒体収納装置を備えることを特徴とする、画像形成装置。
【請求項５】
前記画像形成装置本体に対して前記記録媒体収納装置を脱着するとき、その脱着に連動して前記ガイド部材および前記第２ガイド部材を回動することを特徴とする、請求項４に記載の画像形成装置。
【請求項６】
前記画像形成装置本体に前記記録媒体収納装置を取り付けるときは、その記録媒体収納装置に係合して該記録媒体収納装置を前記画像形成装置本体内で位置決めする、前記画像形成装置本体に備える位置決め部材を用い、その位置決め部材で押して前記ガイド部材を回動する一方、反対に前記画像形成装置本体から前記記録媒体収納装置を引き出すときは、その記録媒体収納装置と前記位置決め部材の係合を解除して前記位置決め部材から離し、前記ガイド部材を逆回動することを特徴とする、請求項５に記載の画像形成装置。
【請求項７】
前記位置決め部材で押して前記ガイド部材を回動するとき、そのガイド部材との間に弾性部材を介在することを特徴とする、請求項６に記載の画像形成装置。
【請求項８】
前記ガイド部材の回動とともに付勢力に基づき前記第２ガイド部材を回動する付勢部材を備える一方、前記ガイド部材の逆回動とともに前記第２ガイド部材を他部材に当てて前記付勢部材の付勢力に抗して逆回動することを特徴とする、請求項４ないし７のいずれか１に記載の画像形成装置。
【発明の詳細な説明】
【０００１】
【発明の属する技術分野】
この発明は、コピーやファクシミリやプリンタ、またはそれらの複合機などの画像形成装置に関する。および、そのような画像形成装置において、画像形成装置本体に引出し自在に取り付け、用紙・ＯＨＰフィルム等の記録媒体を挿入して収納する、例えば反転再給紙装置や給紙装置や排紙スタック装置などの記録媒体収納装置に関する。
【０００２】
【従来の技術】
従来、コピー等の画像形成装置の中には、記録媒体の表裏両面に画像を形成するものがある。この種の画像形成装置では、例えば図９に示すような反転再給紙装置（記録媒体収納装置）Ｒを備え、例えばジャム処理等を行うことができるように記録媒体の搬送方向ｆと直交する方向に画像形成装置本体に対して着脱自在としていた。
【０００３】
反転再給紙装置Ｒは、作像装置で一面に画像形成済みの記録媒体を矢印ｇ方向から送り込み、スイッチバックローラ１でスイッチバック搬送路２に矢印ｉ方向に挿入してそこにいったん収納して後、スイッチバックローラ１を逆転して矢印ｊ方向にスイッチバックし、反転ローラ３で１８０度反転して複数の搬送ローラ対４で搬送路５を通して搬送し、矢印ｋ方向に送り出していた。そして、画像形成装置本体の中継ローラ６で再び給紙路７に戻し、作像装置に再給紙して他面にも画像を形成してから排出していた。
【０００４】
ところが、このような反転再給紙装置Ｒでは、画像形成し得る最大長Ｐｍａｘの記録媒体にも両面に画像形成可能とするためには、図１０に示すように、スイッチバック搬送路２の搬送路長Ｌを、画像形成し得る記録媒体の最大長Ｐｍａｘより長くする必要がある。このため、スイッチバック搬送路２の搬送路長Ｌが大きくなって画像形成装置全体が大型化する問題があった。
【０００５】
そこで、従来の反転再給紙装置Ｒの中には、例えば図１１に示すように、スイッチバック搬送路２の記録媒体挿入方向前方にリブ８を設け、スイッチバック搬送路２に矢印ｉ方向に挿入した記録媒体の先端を矢印ｍ方向に搬送して上方に持ち上げ、例えば中継ローラ６との接触を回避して反転再給紙装置Ｒの長さが短くなるようにしたものがある。
【０００６】
しかしながら、そのような従来の反転再給紙装置Ｒでは、リブ８を設けた分、反転再給紙装置Ｒの高さｈが高くなるから、画像形成装置本体から反転再給紙装置Ｒを引き出すことができるように、画像形成装置本体まわりに必要スペースを大きく確保しなければならない問題があった。
【０００７】
このため、発明者は、図１２に示すように、画像形成装置本体に取り付けたときには図中実線で示す上昇位置に回動し、画像形成装置本体から引き出したときには図中鎖線で示す非上昇位置に逆回動するガイド部材９を備える反転再給紙装置Ｒを提案した。このような反転再給紙装置Ｒでは、画像形成装置本体から引き出すとき、反転再給紙装置Ｒの高さｈを小さくできるから、画像形成装置まわりの使用空間を狭めて画像形成装置まわりの必要設置スペースを小さくすることができる。
【０００８】
【発明が解決しようとする課題】
ところが、今日は、画像形成装置本体の小型化の要請とともに、その設置必要スペースをなお一層小さくすることが強く求められている。
【０００９】
そこで、この発明の第１の目的は、画像形成装置本体を大型化することなく、かつその設置必要スペースをなお一層小さくすることができる記録媒体収納装置を提供することにある。
【００１０】
この発明の第２の目的は、画像形成装置本体を大型化することなく、かつその設置必要スペースをなお一層小さくすることができる反転再給紙装置を提供することにある。
【００１１】
この発明の第３の目的は、記録媒体を案内するとき、記録媒体との摩擦抵抗を大幅に低減し、記録媒体を上方へとスムーズに導くことにある。
【００１２】
この発明の第４の目的は、上記各目的を有する記録媒体収納装置を備えた画像形成装置を提供することにある。
【００１３】
この発明の第５の目的は、記録媒体収納装置の脱着操作性を向上するとともに、記録媒体を記録媒体収納装置に挿入するとき記録媒体の挿入方向前方を案内するガイド部材の回動操作忘れを防止することにある。
【００１４】
この発明の第６の目的は、部品の共通化を図り、部品点数を削減してコストダウンを図ることにある。
【００１５】
この発明の第７の目的は、各部品の寸法公差に余裕を持たせて製作を容易とするとともに、ガイド部材の回動角度を一定に保持することを容易とすることにある。
【００１６】
この発明の第８の目的は、簡単な構成で、ガイド部材の回動とともにそのガイド部材に対して第２ガイド部材を連動して回動可能とすることにある。
【００１７】
【課題を解決するための手段】
そのため、請求項１に記載の発明は、上述した第１の目的を達成すべく、
画像形成装置本体に引出し自在に取り付け、記録媒体を挿入して収納する記録媒体収納装置において、
画像形成装置本体に取り付けるとき回動して上昇位置となり、画像形成装置本体から引き出すとき逆回動して非上昇位置に戻るガイド部材を、記録媒体挿入方向前方に備えるとともに、
そのガイド部材の回動とともに該ガイド部材に対して回動して上昇位置となり、ガイド部材の逆回動とともにそのガイド部材に対して逆回動して非上昇位置に戻る第２ガイド部材を、ガイド部材よりさらに記録媒体挿入方向前方に備える、ことを特徴とする。
【００１８】
請求項２に記載の発明は、上述した第２の目的を達成すべく、請求項１に記載の記録媒体収納装置において、反転再給紙装置であり、作像装置で片面画像形成済みの記録媒体を挿入していったん収納し、スイッチバックして反転して作像装置に再給紙する、ことを特徴とする。
【００１９】
請求項３に記載の発明は、上述した第３の目的を達成すべく、請求項１または２に記載の記録媒体収納装置において、第２ガイド部材の記録媒体挿入方向前方に第３ガイド部材を回転自在に備える、ことを特徴とする。
【００２０】
請求項４に記載の発明は、上述した第４の目的を達成すべく、請求項１ないし３のいずれか１に記載の記録媒体収納装置を備えることを特徴とする、画像形成装置である。
【００２１】
請求項５に記載の発明は、上述した第５の目的を達成すべく、請求項４に記載の画像形成装置において、画像形成装置本体に対して記録媒体収納装置を脱着するとき、その脱着に連動してガイド部材および第２ガイド部材を回動する、ことを特徴とする。
【００２２】
請求項６に記載の発明は、上述した第６の目的を達成すべく、請求項５に記載の画像形成装置において、画像形成装置本体に記録媒体収納装置を取り付けるときは、その記録媒体収納装置に係合して該記録媒体収納装置を画像形成装置本体内で位置決めする、画像形成装置本体に備える位置決め部材を用い、その位置決め部材で押してガイド部材を回動する一方、反対に画像形成装置本体から記録媒体収納装置を引き出すときは、その記録媒体収納装置と位置決め部材の係合を解除して位置決め部材から離し、ガイド部材を逆回動する、ことを特徴とする。
【００２３】
請求項７に記載の発明は、上述した第７の目的を達成すべく、請求項６に記載の画像形成装置において、位置決め部材で押してガイド部材を回動するとき、そのガイド部材との間に弾性部材を介在する、ことを特徴とする。
【００２４】
請求項８に記載の発明は、上述した第８の目的を達成すべく、請求項４ないし７のいずれか１に記載の画像形成装置において、ガイド部材の回動とともに付勢力に基づき第２ガイド部材を回動する付勢部材を備える一方、ガイド部材の逆回動とともに第２ガイド部材を他部材に当てて付勢部材の付勢力に抗して逆回動する、ことを特徴とする。
【００２５】
【発明の実施の形態】
以下、図面を参照しつつ、この発明の実施の形態につき説明する。
図１には、この発明による記録媒体収納装置を備えるレーザ複写機における内部機構の全体概略構成を示す。
【００２６】
図中符号１０は、複写機装置本体（画像形成装置本体）である。複写機装置本体１０内には、作像装置１００を備える。作像装置１００には、ドラム状の像担持体１１を中心に設け、そのまわりに帯電装置１２、現像装置１３、転写・搬送装置１４、クリーニング装置１５などを配置する。
【００２７】
それらの上部には、レーザ書込み装置１６を設ける。レーザ書込み装置１６には、レーザダイオード等の光源、ポリゴンミラーである走査用の回転多面鏡、ポリゴンモータ、ｆθレンズやミラー等の走査光学系などを備えてなる。
【００２８】
クリーニング装置１５の図中左側には、定着装置１７を設ける。定着装置１７には、ヒータを内蔵する定着ローラ１８と、その定着ローラ１８に下方から押し当てる加圧ローラ１９を設ける。
【００２９】
また、複写機装置本体１０内の上部には、原稿読取装置２０を備える。原稿読取装置２０には、光源ａ、複数のミラーｂ、結像レンズｃ、ＣＣＤ等のイメージセンサｄなどを設ける。
【００３０】
一方、複写機装置本体１０内の下部には、反転再給紙装置（記録媒体収納装置）２２と給紙カセット２３を上下二段に備える。反転再給紙装置２２および給紙カセット２３からは、各々、再給紙路２１を設ける。再給紙路２１は、像担持体１１の下方へとのびる給紙路２４へと通ずる。反転再給紙装置２２へは、定着装置１７出口からのびる排紙路２５の途中から分岐して反転路２６が形成されている。
【００３１】
そのような装置本体１０の上面には、コンタクトガラス２７を設置する。そのコンタクトガラス２７を被うように、複写機装置本体１０上には、自動原稿給紙装置２８を開閉自在に取り付けてなる。
【００３２】
ところで、複写機装置本体１０の右側面には、手差し用紙（記録媒体）を給紙路２４に案内する手差しトレイ２９を開閉自在に設ける。他方、複写機装置本体１０の左側面には、排紙路２５を通して排出する用紙（記録媒体）を受けるソータ３０を取り付ける。そして、複写機装置本体１０を給紙テーブル３１上に載置してなる。給紙テーブル３１内には、給紙カセット２３を多段に備える。
【００３３】
さていま、このレーザ複写機を用いてコピーを取るときは、自動原稿給紙装置２８に原稿をセットし、または自動原稿給紙装置２８を開いてコンタクトガラス２７上に直接原稿をセットする。そして、不図示のスタートスイッチを押し、自動原稿給紙装置２８を駆動してコンタクトガラス２７上に搬送した原稿を、またはあらかじめコンタクトガラス２７上に原稿をセットしたときは、そのセットしてある原稿を、原稿読取装置２０で画素単位で読み取る。
【００３４】
同時に、適宜の給紙ローラ３３を回転し、複写機装置本体１０および給紙テーブル３１内に多段に備える複数の給紙カセット２３中の対応する給紙カセット２３内から用紙（記録媒体）を繰り出し、給紙路２４に入れて中継ローラ３４で搬送し、レジストローラ３５に突き当てて止める。そして、像担持体１１の回転にタイミングを合わせて該レジストローラ３５を回転し、像担持体１１の下方へと送り込む。
【００３５】
または、手差し給紙部にある給紙ローラ３６を回転し、開いた手差しトレイ２９上にセットした手差し用紙を給紙路２４へと入れ、同じくレジストローラ３５で像担持体１１の回転にタイミングを合わせて該像担持体１１の下方へと送り込む。
【００３６】
他方、不図示のスタートスイッチを押したとき、同時に像担持体１１を図中時計方向に回転する。そして、その像担持体１１の回転とともに、まず帯電装置１２で表面を一様に帯電し、次いで上述した原稿読取装置２０で読み取った読取り内容に応じてレーザ光Ｌを照射してレーザ書込み装置１６で書込みを行い、像担持体１１の表面に静電潜像を形成し、そののち現像装置１３でトナーを付着してその静電潜像を可視像化する。
【００３７】
それから、上述したごとく像担持体１１の下方へと送り込んだ用紙に、転写・搬送装置１４でその可視像を転写する。画像転写後の像担持体１１は、クリーニング装置１５で残留トナーを除去して表面を清掃し、次の同様な画像形成に備える。
【００３８】
一方、画像転写後の用紙は、転写・搬送装置１４で搬送して定着装置１７に入れ、定着ローラ１８と加圧ローラ１９とで熱と圧力とを加えて転写画像を定着する。その後、排紙路２５を通してソータ３０に仕分けして排出する。
【００３９】
用紙の両面に画像を記録するときには、排紙路２５から反転路２６に入れ、反転再給紙装置２２で反転して再給紙路２１から再び給紙路２４に入れ、転写・搬送装置１４で用紙の裏面にも別途像担持体１１上に形成した画像を転写して後、その転写画像を定着装置１７で定着してソータ３０に排出する。
【００４０】
この例の反転再給紙装置２２では、図９から図１２で示す従来例と同様に、作像装置１００で片面に画像形成済みの用紙をスイッチバックローラ４０でスイッチバック搬送路４１に挿入してそこにいったん収納して後、スイッチバックローラ４０を逆転してスイッチバックし、反転ローラ４２で１８０度反転して複数の搬送ローラ対４３で搬送路４４を通して搬送し、再給紙路２１に送り出す。
【００４１】
図２には、その反転再給紙装置２２の用紙挿入方向（記録媒体挿入方向）Ｉの前方を示す。反転再給紙装置２２の用紙挿入方向Ｉの前方には、ガイド部材５０を備える。ガイド部材５０は、図示するように、反転再給紙装置２２の両側フレームで回転自在に支持する支軸５１を両端に有する軸状基部５２と、その奥側端部から下向きにのび、Ｖ型に折り曲げた板ばね状の弾性部材５３を取り付けるレバー部５４と、基部５２に軸方向に間隔をあけて例えば図示するように３つ設け、それぞれ基部５２から用紙挿入方向Ｉの前方に向けてのばすガイド部５５とからなる。
【００４２】
各ガイド部５５の先端には、切込みを設ける。その切込みには第２ガイド部５８の基端を入れて軸支し、各ガイド部５５に第２ガイド部５８を回動自在に取り付ける。図示省略するが、その取り付け部には、付勢部材を設け、第２ガイド部材５８を反時計まわりに付勢する。
【００４３】
そして、図２に示すように、反転再給紙装置２２を複写機装置本体１０から取り外した状態では、ガイド部材５０は、重力でガイド部５５を水平状態に保持してなり、このとき第２ガイド部材５８も基端下部を他部材（例えば反転再給紙装置内に備える底板など）に当てて水平状態として、図３に示すようにガイド部５５と第２ガイド部材５８とを一直線上とする。
【００４４】
ところが、この反転再給紙装置２２を複写機装置本体１０に取り付けると、その複写機装置本体１０に備える位置決め部材６０が、反転再給紙装置２２のフレームにあけた長孔５７を通して入り込んで係合し、図４に示すように反転再給紙装置２２を複写機装置本体１０内で位置決めする。同時に、その位置決め部材６０が弾性部材５３と係合してその弾性部材５３を介して押して支軸５１を中心としてガイド部材５０を矢印Ｐ方向に回動し、図５に示すように複写機装置本体１０に備えるストッパ部材６２に当てて角度θ傾けた回動状態で保持する。
【００４５】
またこのとき、ガイド部材５０の回動とともに付勢部材の付勢力で第２ガイド部材５８を矢印Ｑ方向に回動する。そして、ガイド部材５０を上昇位置とするとともに、基端下部Ｏを他部材に押し当てた状態のまま第２ガイド部材５８をガイド部材５０に対して角度φ回動して同じく上昇位置とし、第２ガイド部材５８の先端を高さＨ上昇して両者で見かけ上、角度α傾けた状態とする。
【００４６】
これにより、片面画像形成済みの用紙を反転再給紙装置２２に挿入すると、その挿入方向Ｉの先端をガイド部材５０により上方に向け案内し、続いて第２ガイド部材５８でさらに上方に案内して、用紙を反転再給紙装置２２に、用紙挿入方向Ｉの前方を高さＨ持ち上げた状態で収納する。よって、用紙の先端を持ち上げた状態で収納するので、反転再給紙装置２２の用紙挿入方向Ｉの長さを短くすることができる。
【００４７】
反対に、ジャム処理などに反転再給紙装置２２を複写機装置本体１０から引き出すときは、図２に示すように、位置決め部材６０との係合を解除してガイド部材５０を重力に基づき逆回動する。また、ガイド部材５０の逆回動とともに第２ガイド部材５８を、基端下部Ｏを他部材に当てているので、付勢部材の付勢力に抗して逆回動する。そして、ガイド部材５０を非上昇位置に戻すとともに、第２ガイド部材５８をガイド部材５０に対して逆回動して同じく非上昇位置に戻して図３にも示す状態とする。
【００４８】
これにより、引き出す反転再給紙装置２２の大きさを小さくし、それを引き出すときの画像形成装置まわりの使用空間を狭めて画像形成装置の設置必要スペースを小さくすることができる。
【００４９】
もし仮に、図１２に示すような１つのガイド部材９を用いた従来の反転再給紙装置Ｒを用いて角度θで用紙の前方を高さＨ持ち上げるようにすると、図６に示すように、ガイド部材９の長さを、図２ないし図４に示すガイド部材５０と第２ガイド部材５８を連結した長さＭよりＮ長くつくらなければならず、複写機装置本体１０を小型化することができない。また、ガイド部材９の長さを短くして高さＨを稼ぐようにすると、角度θを大きくしなければならない。角度θを大きくすると、ガイド部材９を非上昇位置に戻すときに時間がかかることとなる。
【００５０】
ところで、第２ガイド部材５８の用紙挿入方向Ｉ前方には、例えば図７に示すように、第３ガイド部材として小ローラ６４を回転自在に備えるようにしてもよい。図７中符号６５で示すものは、上述した例で図示省略した、第２ガイド部材５８を付勢する付勢部材であり、第２ガイド部材５８の支軸６６に巻き付けて一端をガイド部５５に掛け、他端を第２ガイド部材５８に掛ける。符号６７は、ガイド部５５の先端にあけて支軸６６を挿入する軸孔である。
【００５１】
このようにすると、図８に示すように、用紙７０を第２ガイド部材５８でさらに上方に案内するとき、小ローラ６４に接触してそれを回転し、用紙７０と第２ガイド部材５８との摩擦抵抗を大幅に低減して、用紙７０を上方へとスムーズに導くことができる。
【００５２】
なお、上述した例では、記録媒体収納装置が反転再給紙装置２２である場合について説明したが、記録媒体収納装置は反転再給紙装置２２に限らず、画像形成装置本体に引出し自在に取り付け、用紙・ＯＨＰフィルム等の記録媒体を挿入して収納するものであれば、給紙装置や排紙スタック装置などでもよい。
【００５３】
【発明の効果】
以上説明したとおり、請求項１に記載の発明によれば、記録媒体収納装置を画像形成装置本体に取り付けるときガイド部材を回動して上昇位置とするとともに、そのガイド部材の回動とともに該ガイド部材に対して第２ガイド部材を回動して上昇位置とするので、記録媒体を挿入して収納するとき、その挿入方向の先端をガイド部材により上方に向け案内し、続いて第２ガイド部材でさらに上方に案内し、画像形成装置本体を大型化することなく、記録媒体挿入方向前方を従来に比し大きく持ち上げることができる。
【００５４】
また、記録媒体収納装置を画像形成装置本体から引き出すとき、ガイド部材を逆回動して非上昇位置に戻すとともに、そのガイド部材の逆回動とともに該ガイド部材に対して第２ガイド部材を逆回動して非上昇位置に戻すので、画像形成装置本体から引き出すときの大きさを小さくし、画像形成装置まわりの使用空間を狭めて画像形成装置の設置必要スペースを小さくすることができる。
【００５５】
請求項２に記載の発明によれば、記録媒体収納装置である反転再給紙装置を画像形成装置本体に取り付けるとき、ガイド部材を回動して上昇位置とするとともに、そのガイド部材の回動とともに該ガイド部材に対して第２ガイド部材を回動して上昇位置とするので、片面画像形成済みの記録媒体を挿入して収納するとき、その挿入方向の先端をガイド部材により上方に向け案内し、続いて第２ガイド部材でさらに上方に案内し、画像形成装置本体を大型化することなく、記録媒体挿入方向前方を従来に比し大きく持ち上げることができる。
【００５６】
また、反転再給紙装置を画像形成装置本体から引き出すとき、ガイド部材を逆回動して非上昇位置に戻すとともに、そのガイド部材の逆回動とともに該ガイド部材に対して第２ガイド部材を逆回動して非上昇位置に戻すので、画像形成装置本体から引き出すときの大きさを小さくし、画像形成装置まわりの使用空間を狭めて画像形成装置の設置必要スペースを小さくすることができる。
【００５７】
請求項３に記載の発明によれば、第２ガイド部材の記録媒体挿入方向前方に第３ガイド部材を回転自在に備えるので、記録媒体を第２ガイド部材でさらに上方に案内するとき、第３ガイド部材に接触してそれを回転し、記録媒体と第２ガイド部材との摩擦抵抗を大幅に低減して、記録媒体を上方へとスムーズに導くことができる。
【００５８】
請求項４に記載の発明によれば、画像形成装置において、請求項１ないし３のいずれか１に記載の記録媒体収納装置を備えるので、上記各効果を達成することができる記録媒体収納装置を備えた画像形成装置を提供することができる。
【００５９】
請求項５に記載の発明によれば、画像形成装置本体に対して記録媒体収納装置を脱着するとき、その脱着に連動してガイド部材および第２ガイド部材を回動するので、脱着動作とは別にガイド部材および第２ガイド部材の回動操作を行う必要がなく、記録媒体収納装置の脱着操作性を向上するとともに、ガイド部材および第２ガイド部材の回動操作忘れを防止することができる。
【００６０】
請求項６に記載の発明によれば、画像形成装置本体内で記録媒体収納装置を位置決めする位置決め部材を用い、記録媒体収納装置の脱着動作に連動してガイド部材を回動または逆回動するので、位置決め部材を兼用して部品の共通化を図り、部品点数を削減してコストダウンを図ることができる。
【００６１】
請求項７に記載の発明によれば、位置決め部材で押してガイド部材を回動するとき、そのガイド部材との間に弾性部材を介在するので、その弾性部材で各部品の寸法公差のずれを吸収することができ、公差に余裕を持たせて製作を容易とするとともに、ガイド部材の回動角度を一定に保持することを容易とすることができる。
【００６２】
請求項８に記載の発明によれば、ガイド部材の回動とともに付勢力に基づき第２ガイド部材を回動する付勢部材を備える一方、ガイド部材の逆回動とともに第２ガイド部材を他部材に当てて付勢部材の付勢力に抗して逆回動するので、簡単な構成で、ガイド部材の回動とともに該ガイド部材に対して第２ガイド部材を回動することができる。
【図面の簡単な説明】
【図１】この発明による記録媒体収納装置を備えるレーザ複写機における内部機構の全体概略構成図である。
【図２】それに備える記録媒体収納装置の一例として示す反転再給紙装置の部分斜視図である。
【図３】その正面図である。
【図４】その反転再給紙装置を複写機装置本体に取り付けたときの状態を示す斜視図である。
【図５】その正面図である。
【図６】この発明の効果を説明する比較例の正面図である。
【図７】他例を説明する分解斜視図である。
【図８】その他例の使用状態正面図である。
【図９】従来の記録媒体収納装置の構成説明図である。
【図１０】それが大型となることを説明する構成説明図である。
【図１１】従来の改良例の構成説明図である。
【図１２】従来のさらなる改良例の構成説明図である。
【符号の説明】
１０　　複写機装置本体（画像形成装置本体）
２２　　反転再給紙装置（記録媒体収納装置）
５０　　ガイド部材
５３　　弾性部材
５８　　第２ガイド部材
６０　　位置決め部材
６４　　小ローラ（第３ガイド部材）
６５　　付勢部材
１００　　作像装置
Ｉ　　　用紙挿入方向（記録媒体挿入方向）
【図１】
2004115138.tif 000003
【図２】
2004115138.tif 000004
【図３】
2004115138.tif 000005
【図４】
2004115138.tif 000006
【図５】
2004115138.tif 000007
【図６】
2004115138.tif 000008
【図７】
2004115138.tif 000009
【図８】
2004115138.tif 000010
【図９】
2004115138.tif 000011
【図１０】
2004115138.tif 000012
【図１１】
2004115138.tif 000013
【図１２】
2004115138.tif 000014